(57)【特許請求の範囲】
【請求項１】
エンジンの出力を制御するスロットル部を備えて手で把持可能な把手装置であって、
上記エンジンの出力が伝達される部材が連結された部分と手により把持される部分とが分割され、その分割面が相対的に回転可能な本体と、
上記手により把持される部分に配置され、上記エンジンの出力を制御するスロットル部材と、
上記分割面を横断する方向に摺動可能に設けられ、常時、上記分割面を横断するように付勢力が与えられている摺動部材と、
上記手により把持される部分に配置された上記エンジンのイグニッションスイッチとを備え、
上記摺動部材は、上記付勢力に抗して上記分割面から上記エンジンの出力が伝達される部材が連結された部分とは異なる方向に摺動したときに上記スロットル部材の調整状態に関係なく上記イグニッションスイッチをオフにして上記エンジンを強制的に停止させることを特徴とする把手装置。
【請求項２】
請求項１記載の把手装置を用いる刈払機であって、
上記把手装置は、上記刈刃側に連結されている部分と手により握られる部分に相当する残りの部分とが相対的に回転可能に設けられ、上記残りの部分に上記摺動部材が上記両部分の対向面を横断する方向に摺動可能、かつ上記対向面を横断するように付勢され、上記摺動部材をその対向面から上記刈刃側に連結されている部分とは異なる方向に指で摺動させると、上記両部分が相対回転可能となることを特徴とする刈払機。
【発明の詳細な説明】
【０００１】
【発明の属する技術分野】
本発明は、把手装置およびこれを用いた刈払機に関し、さらに詳しくは、エンジンのスロットル部が備えられているグリップ部材を回転操作する際の誤動作防止用の安全機構に関する。
【０００２】
【従来の技術】
従来より枝葉を刈り取るための作業機として、操作桿の先端部に刈刃を備えた構成の刈払機がある。
このような刈払機として、例えば、相対的に摺動して往復駆動される上刃と下刃との接合面にこれら各刃の往復動方向を横切るように隙間を形成した往復刃形刈払機がある。
ところで、刈払機の使用環境においては枝葉の向きに対して刃の向きをあわせると手元にあるグリップ操作部を把持する角度が手に負担を強いる角度となる場合がある。このため、従来では、刃の駆動源であるエンジンのスロットル部を備えたハンドル部を上刃と下刃の往復動方向の中心線上で独立して傾けることができる構成が提案されている（例えば、特開平３−１１７５７３号公報）。
上記公報には、把持部内にスロットルレバーが進出し、そのスロットルレバーを握る量を加減することで駆動源の出力を変える構成を前提として、把持部を回転する際にはスロットルレバーを駆動源のアイドル回転が得られる初期位置において保持できる構成が開示されている。
【０００３】
【発明が解決しようとする課題】
しかし、この構成では、完全に駆動源が停止されないことによる危険性があった。つまり、アイドル回転状態で把持部を回転させる場合にはその状態を維持するための部材がスロットルレバーの移動路、この公報では、スロットルレバーが手の握りにより揺動するレバーであるので、その揺動路中に進出してスロットルレバーの揺動を規制する構成となっている。このため、何らかの原因によっ揺動路から外れると、把持部の回転操作時に誤ってスロットルレバーに力が作用して不意に刈刃が動作し出す危険がある。
【０００４】
本発明の目的は、上記従来の刈払機における問題、特に刃部に対して操作部が独立して回転できる構成を備えた場合に、回転操作時に不用意に刃部が駆動されてしまうという危険をなくすことができる構成を備えたグリップ部材およびこれを用いた刈払機を提供することにある。
【０００５】
【課題を解決するための手段】
請求項１記載の発明は、エンジンの出力を制御するスロットル部を備えて手で把持可能な把手装置であって、上記エンジンの出力が伝達される部材が連結された部分と手により把持される部分とが分割され、その分割面が相対的に回転可能な本体と、上記手により把持される部分に配置され、上記エンジンの出力を制御するスロットル部材と、上記分割面を横断する方向に摺動可能に設けられ、常時、上記分割面を横断するように付勢力が与えられている摺動部材と、上記手により把持される部分に配置された上記エンジンのイグニッションスイッチとを備え、上記摺動部材は、上記付勢力に抗して上記分割面から上記エンジンの出力が伝達される部材が連結された部分とは異なる方向に摺動したときに上記スロットル部材の調整状態に関係なく上記イグニッションスイッチをオフにして上記エンジンを強制的に停止させることを特徴としている。
【０００６】
請求項２記載の発明は、請求項１記載の把手装置を用いる刈払機であって、上記把手装置は、上記刈刃側に連結されている部分と手により握られる部分に相当する残りの部分とが相対的に回転可能に設けられ、上記残りの部分に上記手動部材が上記両部分の対向面を横断する方向に摺動可能、かつ上記対向面を横断するように付勢され、上記摺動部材をその対向面から上記刈刃側に連結されている部分とは異なる方向に指で摺動させると、上記両部分が相対回転可能となることを特徴としている。
【０００７】
【作用】
請求項１記載の発明では、摺動部材が本体の分割面を常時横断するようになっているので、この状態での不用意な回転操作を行うことができない。従って、本体を回転させる場合には摺動部材を分割面からはなすことが必要であり、このときには摺動部材がエンジンのイグニッションスイッチがオフされてエンジンを強制的に停止させることができるので、エンジンの不用意な回転が起こらない。この結果、本体における対向部分を回転させる場合には必ずエンジンが停止されるので、エンジンの不意の増速回転も発生することがなくきわめて安全に本体を回転させることができる。
【０００８】
請求項２記載の発明では、刈刃側に連結される部分と手により握られる部分とが相対的に回転可能な構成において、摺動部材を分割面から離す方向に摺動させてイグニッションスイッチをオフさせることで初めて相対的な回転操作が行えるので、回転操作が行える状態に確認とその確認に併せた安全状態の設定、つまり、エンジンの停止が可能となり、回転操作の際の安全を確保できる。
【０００９】
【発明の実施の形態】
以下、図示実施例により本発明の実施の形態を説明する。
図１，図２は本発明実施例によるグリップ部装置を備えた刈払機の平面図および側面図である。
刈払機１は、刈刃２とこれの駆動源であるエンジン３と刈払機１を手で持って支えるための把手装置４および復把持部５とを備えている。
エンジン３は、出力軸に連動可能な動力伝達部３Ａを備えており、エンジン３の回転出力が図示しない機構により往復方向の力に変換されて刈刃２に伝達するようになっている。
刈刃２は、相対的に摺動して往復駆動される上刃と下刃との接合面にこれら各刃の往復動方向を横切るように隙間を形成した往復型のものが用いられている。
【００１０】
把手装置４は、後で詳しく説明するが、手により把持されるとともにエンジン３のスロットル調整部を備えており、把持しながらエンジン３の停止および運転再開およびスロットル開度の調整ができるようになっている。
副把持部５は、図２に示すように、動力伝達部３Ａに基部が固定されたアームであり、把手装置４とともに刈払機１を手でもって支える部分として用いられる。この副把持部５の刈刃２側には刈り取られた枝葉が手に当たるのを防ぐための防護板５Ａが設けられている。
【００１１】
把手装置４は、その詳細が図３乃至図５に示されている。
図３において把手装置４は、図３に示すように、エンジンの出力を刈刃２に伝達可能な部分である動力伝達部３Ａ（図２参照）に連結される部分である伝達側取付部４Ａと、手により把持される部分である把持部４Ｂとが分割され、図４に示す形状に半割されて本体が構成されている。
伝達側取付部４Ａと把持部４Ｂとは、把持部４Ｂ側に設けられている回転軸４Ｃとこれが回転自在に挿嵌される伝達側取付部４Ａの軸受部４Ｄとで相対的に回転可能とされている。
回転軸４Ｃの先端には軸部よりも大径の環状部４Ｃ１が形成され、軸受４Ｄに形成されている凹状環状部４Ｄ１に嵌合させてあり、軸方向での抜け止めが可能になっている。
回転軸４Ｄは、図示しないが、周方向で１８０度の位相を以て形成された凸状係止部が設けられ、この凸状係止部が軸受４Ｃの内周面で同位相内で複数の回転角を設定できる位置に形成されている嵌合部に弾性的に係合することで、図３（Ｂ）に示すように１８０度の範囲内で複数段階に回転した位置で保持できるようになっている。このような１８０度の回転は、後述するスロットルケーブルＣがねじれるのを防ぐために決められている。
【００１２】
伝達側取付部４Ａには動力伝達部３Ａの締結用穴４Ａ１および半割状態の伝達側取付部４Ａ同士を一体化する際の締結用穴４Ａ２が形成され、把持部４Ｂには手を差し込んで把持するための空間部４Ｂ１および半割状態の把持部４Ｂ同士を一体化するための締結用穴４Ｂ２が形成されている。
【００１３】
把持部４Ｂの内部には、スロットルケーブルＣを揺動端の一方に連結されて支軸６によって揺動可能に支持されているトリガーレバー７と、支軸８によってトリガーレバー７の揺動を規制するストッパレバー９と、伝達側取付部４Ａと把持部４Ｂとの分割面（図４中、符号Ｄで示す位置）に位置する摺動部材１０とが設けられている。
トリガーレバー７は、スロットルケーブルＣに対する牽引量を調整することでエンジンの回転制御を行う部分であり、支軸６を境にした揺動端の一方にスロットルケーブルＣの一端が連結され、その近傍が手により把持されることで揺動量を調整できるようになっている。トリガーレバー７における揺動端の他方はエンジンの始動スイッチ１１に対向しており、始動スイッチ１１がオフ状態にあるときにはその始動スイッチ１１に突き当たって揺動量が規制され、スロットルケーブルＣを牽引できないようになっている。なお、始動スイッチ１１は、上記トリガーレバー７に連動して操作状態を設定されることに限らないものであり、自身の摺動位置が設定されることでエンジンの始動・停止を行うようにすることも可能である。
ストッパーレバー９は、弦巻バネ１２によってトリガーレバー７をスロットルケーブルＣを牽引できない位置に係止する付勢力が与えられており、把持部４Ｂが握られた際の手のひらによって上記付勢力を解除してトリガーレバー７の揺動を許容するようになっている。つまり、トリガーレバー７の揺動端に対向する端部９Ａがトリガーレバー７の揺動端に突き当たるとトリガーレバー７の揺動が規制される。
【００１４】
摺動部材１０は、伝達側取付部４Ａと把持部４Ｂとの分割面Ｄに先端が進出し、後端に指を差し入れることができる空間部１０Ａが形成された部材であり、把持部４Ｂと伝達側取付部４Ａ側とに設けられたガイド部に挿嵌されて摺動できるようになっている。
摺動部材１０の先端は鈎状をなし、その部分と把持部４Ｂ側の分割面Ｄ壁部との間には摺動部材１０の先端が分割面Ｄを横断する方向に付勢可能なコイルバネなどの弾性体１３が配置されている。
摺動部材１０は、弾性体１３の付勢力により通常態位として伝達側取付部４Ａと把持部４Ｂとの分割面Ｄを横断する状態とされ、弾性体１３の付勢力に抗して把持部４Ｂ側に向けて摺動させることで先端が分割面Ｄから離れることができる。
【００１５】
摺動部材１０の先端側には、摺動部材１０の先端が分割面Ｄから離れた際に作動されるイグニッションスイッチ１４が配置されている。
イグニッションスイッチ１４は、分割面Ｄから摺動部材１０の先端が離れる方向に摺動した際にエンジンを停止するリミットスイッチで構成されている。
【００１６】
本実施例は以上のような構成であるから、刈刃２に対して把手装置４を回転させない場合には、図４に示す状態が維持される。すなわち、仮に、把手装置４の把持部４Ｂが把持されている場合では、ストッパレバー９によるトリガーレバーの揺動規制が解除され、スロットルケーブルＣの牽引動作が可能であるが、伝達側取付部４Ａと把持部４Ｂとの分割面Ｄ内に摺動部材１０の先端が横断しているので、分割面を境にした各部４Ａ、４Ｂの相対回転が阻止される。
このときには、摺動部材１０の先端によるイグニッションスイッチ１４の作動が行われていないので、エンジン３はスロットルケーブルＣが牽引されない限りアイドル回転とされる。
【００１７】
刈刃２に対して把手装置４を回転させる場合には、図５に示す状態とされる。すなわち、摺動部材１０を、その先端が分割面Ｄから離れる方向に引くことで伝達側取付部４Ａと把持部４Ｂとの分割面Ｄを境にして両部が相対的な回転を行える。
このとき、摺動部材１０によってイグニッションスイッチ１４がオフされるので、エンジン３は停止する。この結果、把手装置４を回転させる際にはエンジンの不用意な増速などが起こらないので、刈刃２が不意に往復動するような事態が生じない状態で安全に角度を変更することができる。
【００１８】
本実施例によれば、エンジン３を停止した状態でなければ回転操作ができないようになっており、しかも、エンジン停止と回転操作とを個別に行うのでなく、把持部４Ｂという同じ箇所で操作ができるので、両方の操作を間違えなく行うことができる。
なお、上記実施例では、摺動部材１０の摺動に関して、分割面Ｄを横断および離れる方向とし、移動方向を特定していないが、水平方向に移動したりあるいは、指で操作されることを考慮して、図５中、二点鎖線Ｌで示すように、指の動きに順じた湾曲方向とすることなどが可能である。なお、図５では、水平方向に摺動して分割面Ｄから摺動部材１０の先端が離れた状態が示されている。
【００１９】
【発明の効果】
請求項１記載の発明によれば、摺動部材が本体の分割面を常時横断するようになっているので、この状態での不用意な回転操作を行うことができない。従って、本体を回転させる場合には摺動部材を分割面からはなすことが必要であり、このときには摺動部材がエンジンのイグニッションスイッチをオフするので、エンジンの不用意な回転が起こらない。この結果、本体における対向部分を回転させる場合には必ずエンジンが停止されるので、エンジンの不意の増速回転も発生することがなくきわめて安全に本体を回転させることが可能となる。
【００２０】
請求項２記載の発明によれば、刈刃側に連結される部分と手により握られる部分とが相対的に回転可能な構成において、摺動部材を分割面から離す方向に摺動させてイグニッションスイッチをオフさせることで初めて相対的な回転操作が行えるので、回転操作が行える状態に確認とその確認に併せた安全状態の設定、つまり、エンジンの停止が可能となり、回転操作の際の安全を確保ができる。
【図面の簡単な説明】
【図１】本発明実施例による把手装置を備えた刈払機の平面図である。
【図２】図１に示した刈払機の側面図である。
【図３】図１に示した刈払機の把手装置の使用状態を説明するための図であり、（Ａ）は側面図、（Ｂ）は（Ａ）中、（Ｂ）で示す方向の矢視図である。
【図４】本発明実施例による把手装置の内部構造を説明するための断面図である。
【図５】図４に示した内部構造での一態様を説明するための断面図である。
【符号の説明】
１          刈払機
２          刈刃
３          エンジン
３Ａ        エンジン出力を伝達される部材である動力伝達部材
４          把手装置
４Ａ        伝達側取付部
４Ｂ        把持部
４Ｂ１      手を差し入れる空間
４Ｃ        回転軸
４Ｄ        軸受
７          スロットル調整用のトリガーレバー
１０        摺動部材
１０Ａ      指を差し入れ可能な空間
１３        弾性体
１４        イグニッションスイッチ
Ｄ          分割面
【図１】
0004097383.tif 000002
【図２】
0004097383.tif 000003
【図３】
0004097383.tif 000004
【図４】
0004097383.tif 000005
【図５】
0004097383.tif 000006